(57)【要約】      （修正有）【課題】指で摘まむ操作がし易く、かつ望まない不測の係合解除のきっかけになる先端の浮きを抑制できる面ファスナおよびその面ファスナを備えた衣類を提供する。【解決手段】被係合部１１２を有する第１面状片１１と、被係合部１１２と係合する係合部１２２を有する第２面状片１２とで構成される面ファスナ１であって、第１面状片または第２面状片の一方先端部に、第１面状片と第２面状片１２とが係合した際に形成される係合面Ｒの方向に向かって延設される傾斜部１２５を形成した。傾斜部および傾斜部の近傍には、係合部または係合部が形成されていないのが好ましい。【選択図】図１
0003188885.tif 000002
【実用新案登録請求の範囲】
【請求項１】
被係合部を有する第１面状片と、前記第１面状片の被係合部と係合する係合部を有する第２面状片とで構成される面ファスナであって、
前記第１面状片または前記第２面状片の一方先端部に、当該第１面状片と当該第２面状片とが係合した際に形成される係合面の方向に向かって延設される傾斜部を形成したことを特徴とする面ファスナ。
【請求項２】
前記傾斜部および当該傾斜部の近傍には、前記被係合部または前記係合部が形成されていない構成である、請求項１に記載の面ファスナ。
【請求項３】
前記傾斜部が形成された前記第１面状片または前記第２面状片は、長手方向に沿って全体として湾曲している構成である、請求項１または２に記載の面ファスナ。
【請求項４】
前記傾斜部が形成された前記第１面状片または前記第２面状片は、湾曲部を少なくとも１つ有する構成である、請求項１または２に記載の面ファスナ。
【請求項５】
請求項１〜４のいずれか１項に記載の面ファスナを備えた衣類であって、
前記面ファスナの前記傾斜部が形成された前記第１面状片または前記第２面状片の一方端部を自由端部とし、他方端部を固定端部とし、当該傾斜部が形成されていない前記第１面状片または前記第２面状片を固定する構成である、衣類。
【請求項６】
上記第１面状片は雌片であり、第２面状片は雄片であって、当該雌片の全体を衣類の断面円状の開口部に縫製し、当該雄片は固定端を衣類に縫製し、当該固定端以外の部分は自由状態にして構成することを特徴とする請求項５に記載の衣類。
【考案の詳細な説明】
【技術分野】
【０００１】
本考案は、面ファスナおよび面ファスナを備えた衣類に関する。
【背景技術】
【０００２】
衣類の袖口に、開口面積を調整するために、面ファスナを設けた衣類がある。例えば、面ファスナの雌片を袖口周りに沿って全体的に縫製し、雄片の一方端を縫製しておく。そして、締め付ける時に、雄片を雌片へ重ねるようにして係合させ袖口を締め付ける。
【０００３】
特許文献１は、腹巻付ズボンであり、フラップと腹巻とを固定する面ファスナを開示している。この面ファスナでは、雌片および雄片ともに全体的に係合面が形成されており、雄片の先端部分にも雄型係合部が形成されている。
【先行技術文献】
【特許文献】
【０００４】
【特許文献１】特開平０８−２４６２０２号公報
【考案の概要】
【考案が解決しようとする課題】
【０００５】
上記特許文献１のように、雄片の先端部分まで雄型係合部が形成された状態だと、雄片を指で摘まむときに雄型係合部も摘まむことになり、グローブ等を着用して操作した場合、グローブを構成する生地を痛めることが懸念される。そこで、指で摘まむ部分に雄型係合部を設けない構成が考えられる。
【０００６】
しかしながら、雄片の先端部分に雄型の係合部が形成されていない場合には、その先端部分が係合面から離れて浮いてしまう。特に、衣類の袖口、足まわり、首回りなどの円状の開口部においては、先端の浮きが目立ち、かつその浮いた先端部分が他の物と接触することで、雄片が雌片から剥がれる（面ファスナが剥がれる）ことが問題となる。
【０００７】
本考案は上記問題に鑑みてなされたものであって、その目的は、指で摘まむ操作もし易く、かつ望まない（不測の）係合解除のきかっけになる先端の浮きを抑制できる面ファスナおよびその面ファスナを備えた衣類を提供することにある。
【課題を解決するための手段】
【０００８】
本発明に係る面ファスナは、
被係合部を有する第１面状片と、前記第１面状片の被係合部と係合する係合部を有する第２面状片とで構成される面ファスナであって、
前記第１面状片または前記第２面状片の一方先端部に、当該第１面状片と当該第２面状片とが係合した際に形成される係合面の方向に向かって延設される傾斜部を形成したことを特徴とする。
【０００９】
上記第１面状片は雌片であり、第２面状片は雄片であって、当該雌片の全体を衣類の断面円状の開口部に縫製し、当該雄片は固定端を衣類に縫製し、当該固定端以外の部分は自由状態にして構成することが好ましい。
【００１０】
この構成によれば、指で摘まむ操作もし易く、かつ望まない（不測の）係合解除のきかっけになる先端の浮きを抑制できる。
【００１１】
上記発明の一実施形態として、前記傾斜部および当該傾斜部の近傍（係合面側）には、前記被係合部または前記係合部が形成されていない構成である。例えば、雄片に傾斜部が形成されている場合には、雄型係合部が傾斜部および傾斜部近傍(例えば、図１の符号１２６)に形成されていない。
【００１２】
この構成によれば、傾斜部および傾斜部近傍に被係合部または係合部が形成されていないことで、指で摘まむときにグローブ等を構成する生地等を痛める心配もない。
【００１３】
上記発明の一実施形態として、前記傾斜部が形成された前記第１面状片または前記第２面状片は、長手方向に沿って全体として湾曲（係合部または被係合部を内側にして湾曲）している構成である。
【００１４】
この構成によれば、全体的に湾曲していることで、衣類の断面円状箇所(例えば袖口、足首、首回りなど)に面ファスナを取り付けたときに、自然と断面円状箇所に沿うため、先端の浮きを好適に抑制できる。さらに、湾曲していない前記第１面状片または前記第２面状片を使用する場合に発生する、湾曲から回復しようとする応力で係合を解除しようとする力を抑制できるので、係合を長時間維持できる。
【００１５】
上記発明の一実施形態として、前記傾斜部が形成された前記第１面状片または前記第２面状片は、湾曲部を少なくとも１つ有する構成である。
【００１６】
この構成によれば、湾曲部を少なくとも１つ有していることで、衣類の断面円状箇所(例えば袖口、足首、首回りなど)に取り付けたときに、自然と断面円状箇所に沿うため、先端の浮きを好適に抑制できる。さらに、湾曲していない前記第１面状片または前記第２面状片を使用する場合に発生する、湾曲から回復しようとする応力で係合を解除しようとする力を抑制できるので、係合を長時間維持できる。
【００１７】
他の本発明は、上記記載の面ファスナを備えた衣類であって、前記面ファスナの前記傾斜部が形成された前記第１面状片または前記第２面状片の一方端部を自由端部とし、他方端部を固定端部とし、当該傾斜部が形成されていない前記第１面状片または前記第２面状片を固定（自由状態がないように衣類に固定）する構成である衣類を特徴とする。
【００１８】
上記発明の一実施形態として、前記面ファスナは、衣類の開口部、例えば、袖口、足首、首回りなどの断面円状箇所(例えば円状開口部)に縫製され、当該円状開口部を締め付け可能に構成することが好ましい。
【００１９】
上記発明において、衣類は、例えば、上着、下着、長ズボン、短パン、パンツ、アウター、シャツなどを含む。
【図面の簡単な説明】
【００２０】
【図１】面ファスナの一例を示す図である。
【図２】面ファスナの一例を示す図である。
【図３】袖口に設けた面ファスナの一例を示す図である。
【考案を実施するための形態】
【００２１】
（実施形態１）
本実施形態１の面ファスナ１を図１、図２を参照しながら説明する。なお、本考案は、この面ファスナに限定されない。
【００２２】
図１は、面ファスナ１を構成する雌片（第１面状片）１１および雄片（第２面状片）１２を示す。雌片１１は、面状の第１基部１１１、第１基部１１１から突設された被係合部(雌型係合部)１１２とを有する。雄片１２は、面状の第２基部１２１、第２基部１２１から突設された係合部（雄型係合部）１２２とを有し、第２基部１２１は、衣類などに固定される固定端部１２３と、固定端部１２３以外の面状の第２基部１２１が自由可動するように自由状態である自由端部１２４とを形成している。自由端部１２４には、雌片１１と雄片１２とが係合した際に形成される係合面Ｒの方向に向かって延設される傾斜部１２５が形成されている。傾斜部１２５および当該傾斜部１２５の近傍には、雄型係合部１２２が形成されていないエリア１２６がある。
【００２３】
雌片１１および雄片１２は、例えば、樹脂、ゴム、不織布、織り生地、編み生地で構成される。また、雌型係合部１１２、雄型係合部１２２は、例えば、樹脂、ゴム、不織布、織り生地、編み生地で構成され、その形状はお互いが係合し合う形状であれば特に制限されない。
【００２４】
図２は、雄片１２は、湾曲部１２７を有する形状である。湾曲部１２７を形成する箇所や数は図２に限定されない。
【００２５】
（衣類）
図３は、衣類の袖口３に面ファスナ１を取り付け、係合状態した図である。雌片１１が袖口周りに全体的に縫製される。そして、雄片１２の固定端部１２３が縫製されて固定される。傾斜部１２５が係合面側に向かって延設されているため、先端の浮きがないことが分かる。
【００２６】
以上の構成によれば、指で摘まむ操作もし易く、かつ望まない係合解除のきかっけになる先端の浮きを好適に抑制できる。
【００２７】
（別実施形態）
別実施形態として、面ファスナは、全体的に湾曲していなくてもよく、面状片の長手方向において少なくとも湾曲部が一つ形成されていてもよく、全体的に湾曲していなくてもよい。
【００２８】
また、本発明の面ファスナが取り付けられる位置は、袖口に限定されず、足首、首回り、腰回りなどの、円状の開口部近傍であってもよい。また、開口部に限定されず、腕、胴、足まわりの位置に面ファスナを取り付けてもよい。
【符号の説明】
【００２９】
１        面ファスナ
１１      雌片（第１面状片）
１１１    第１基部
１１２    被係合部(雌型係合部)
１２      雄片（第２面状片）
１２１    第２基部
１２２    係合部(雄型係合部)
１２３    固定端部
１２４    自由先端部
１２５    傾斜部
１２６    エリア（雄型係合部が形成されていないエリア）
１２７    湾曲部
３        衣類の袖口
【図１】
0003188885.tif 000003
【図２】
0003188885.tif 000004
【図３】
0003188885.tif 000005